(57)【特許請求の範囲】
【請求項１】
画像を表示するために各々のフレーム内に予め定められた複数の発光ブロックを有し、該発光ブロックの組み合わせで中間調を表示する装置に対する中間調表示方法であって、
人間の目に感じる刺激の時間変化をＢ（ｔ）とし、また中間調表示輝度の変化前のＢ（ｔ）の平均値をＳ１、発光ブロックの点灯パターンがフレーム或いはフィールド間で変化する最中のＢ（ｔ）の平均値をＳ２、変化後のＢ（ｔ）の平均値をＳ３とし、そして、輝度調整用の発光ブロックの発光による網膜上の刺激の総和をΔＳとしたとき、前記刺激の総和ΔＳが、
Ｓ１≦Ｓ２＋ΔＳ≦Ｓ３、
或いは
Ｓ１≧Ｓ２＋ΔＳ≧Ｓ３
を満足するように輝度調整のための発光ブロックを原信号の発光ブロックに加えるようにしたことを特徴とする中間調表示方法。
【請求項２】
画像を表示するために各々のフレーム内に予め定められた複数の発光ブロックを有し、該発光ブロックの組み合わせで中間調を表示する装置に対する中間調表示方法であって、
人間の目に感じる刺激の時間変化をＢ（ｔ）とし、また中間調表示輝度の変化前のＢ（ｔ）の平均値をＳ１、発光ブロックの点灯パターンがフレーム或いはフィールド間で変化する最中のＢ（ｔ）の平均値をＳ２、変化後のＢ（ｔ）の平均値をＳ３とし、そして、輝度調整用の発光ブロックの発光による網膜上の刺激の総和をΔＳとしたとき、前記刺激の総和ΔＳが、
０＜ΔＳ≦２（Ｓ１−Ｓ２）、
或いは
０＜ΔＳ≦２（Ｓ３−Ｓ２）
を満足するように輝度調整のための発光ブロックを選択するようにしたことを特徴とする中間調表示方法。
【請求項３】
画像を表示するために各々のフレーム内に予め定められた複数の発光ブロックを有し、該発光ブロックの組み合わせで中間調を表示する装置に対する中間調表示方法であって、
人間の目に感じる刺激の時間変化をＢ（ｔ）とし、また中間調表示輝度の変化前のＢ（ｔ）の平均値をＳ１、発光ブロックの点灯パターンがフレーム或いはフィールド間で変化する最中のＢ（ｔ）の平均値をＳ２、変化後のＢ（ｔ）の平均値をＳ３とし、そして、輝度調整用の発光ブロックの発光による網膜上の刺激の総和をΔＳとしたとき、前記刺激の総和ΔＳが、
Ｓ１≦Ｓ２−ΔＳ≦Ｓ３、
或いは
Ｓ１≧Ｓ２−ΔＳ≧Ｓ３
を満足するように輝度調整のための発光ブロックを原信号の発光ブロックから減ずるようにしたことを特徴とする中間調表示方法。
【請求項４】
画像を表示するために各々のフレーム内に予め定められた複数の発光ブロックを有し、該発光ブロックの組み合わせで中間調を表示する装置に対する中間調表示方法であって、
人間の目に感じる刺激の時間変化をＢ（ｔ）とし、また中間調表示輝度の変化前のＢ（ｔ）の平均値をＳ１、発光ブロックの点灯パターンがフレーム或いはフィールド間で変化する最中のＢ（ｔ）の平均値をＳ２、変化後のＢ（ｔ）の平均値をＳ３とし、そして、輝度調整用の発光ブロックの発光による網膜上の刺激の総和をΔＳとしたとき、前記刺激の総和ΔＳが、
０＜ΔＳ≦２（Ｓ２−Ｓ１）、
或いは
０＜ΔＳ≦２（Ｓ２−Ｓ３）
を満足するように輝度調整のための発光ブロックを選択するようにしたことを特徴とする中間調表示方法。
【請求項５】
前記輝度調整のための発光ブロックを、発光ブロックの点灯パターンがフレーム或いはフィールド間で変化する最中のＢ（ｔ）の変極部に加え、或いは、減ずるようにしたことを特徴とする請求項１〜４の何れか１項に記載の中間調表示方法。
【請求項６】
前記輝度調整のための発光ブロックを、発光ブロックの点灯パターンがフレーム或いはフィールド間で変化する最中のＢ（ｔ）の変極部に加え、或いは、減ずることができるように発光ブロックを配列したことを特徴とする請求項１〜４の何れか１項に記載の中間調表示方法。
【請求項７】
前記フレーム内における予め定められた複数の発光ブロックを、最上位ビットブロックと第２上位ビットブロックとが隣接しないように配列するようにしたことを特徴とする請求項６に記載の中間調表示方法。
【請求項８】
画像を表示するために各々のフレーム内に予め定められた複数の発光ブロックを有し、該発光ブロックの組み合わせで中間調を表示する装置に対する中間調表示方法であって、
任意の連続するフレーム間の原信号を比較し、表示ビットの有無が変化する場合、少なくともどちらか一方のフレームに請求項１〜４の何れか１項により予め定められた輝度調整のための発光ブロックを加え、或いは、減ずるようにしたことを特徴とする中間調表示方法。
【請求項９】
画像を表示するために各々のフレーム内に予め定められた複数の発光ブロックを有し、該発光ブロックの組み合わせで中間調を表示する装置に対する中間調表示方法であって、
任意の１つの第ｎフレームと、該第ｎフレームの次の第ｎ＋１フレームとの間で最上位ビットの有無が変化する場合、
前記第ｎフレーム，または、第ｎ＋１フレーム内に、請求項１〜４の何れか１項により予め定められた輝度調整のための発光ブロックを加え、或いは、減ずるようにしたことを特徴とする中間調表示方法。
【請求項１０】
画像を表示するために各々のフレーム内に予め定められた複数の発光ブロックを有し、該発光ブロックの組み合わせで中間調を表示する装置に対する中間調表示方法であって、
任意の１つの第ｎフレームと、該第ｎフレームの次の第ｎ＋１フレームとの間で変化するビットのうち最も上位のビットの変化により、
前記第ｎフレーム，または、第ｎ＋１フレーム内に、請求項１〜４の何れか１項により予め定められた輝度調整のための発光ブロックを加え、或いは、減ずるようしたことを特徴とする中間調表示方法。
【請求項１１】
画像を表示するために各々のフレーム内に予め定められた複数の発光ブロックを有し、該発光ブロックの組み合わせで中間調を表示する装置に対する中間調表示方法であって、
前記発光ブロックが最下位発光ブロックから最上位発光ブロックまで順番に配列されている場合、
任意の１つの第ｎフレームで最上位発光ブロックに該当する信号が存在せず、
該第ｎフレームの次の第ｎ＋１フレームで最上位発光ブロックに該当する信号が存在する場合、
前記第ｎ＋１フレームの原信号に請求項１または２により予め定められた輝度調整用の信号を加えるようにしたことを特徴とする中間調表示方法。
【請求項１２】
画像を表示するために各々のフレーム内に予め定められた複数の発光ブロックを有し、該発光ブロックの組み合わせで中間調を表示する装置に対する中間調表示方法であって、
前記発光ブロックが最下位発光ブロックから最上位発光ブロックまで順番に配列されている場合、
任意の１つの第ｎフレームで最上位発光ブロックに該当する信号が存在し、
該第ｎフレームの次の第ｎ＋１フレームで最上位発光ブロックに該当する信号が存在しない場合、
前記第ｎ＋１フレームの原信号に請求項３または４により予め定められた輝度調整用の信号を減ずるようにしたことを特徴とする中間調表示方法。
【請求項１３】
画像を表示するために各々のフレーム内に予め定められた複数の発光ブロックを有し、該発光ブロックの組み合わせで中間調を表示する装置に対する中間調表示方法であって、
前記発光ブロックが最上位発光ブロックから最下位発光ブロックまで順番に配列されている場合、
任意の１つの第ｎフレームで最上位発光ブロックに該当する信号が存在せず、
該第ｎフレームの次の第ｎ＋１フレームで最上位発光ブロックに該当する信号が存在する場合、
前記第ｎフレームの原信号に請求項３または４により予め定められた輝度調整用の信号を減ずるようにしたことを特徴とする中間調表示方法。
【請求項１４】
画像を表示するために各々のフレーム内に予め定められた複数の発光ブロックを有し、該発光ブロックの組み合わせで中間調を表示する装置に対する中間調表示方法であって、
前記発光ブロックが最下位発光ブロックから最上位発光ブロックまで順番に配列されている場合、
任意の１つの第ｎフレームで最上位発光ブロックに該当する信号が存在し、
該第ｎフレームの次の第ｎ＋１フレームで最上位発光ブロックに該当する信号が存在しない場合、
前記第ｎフレームの原信号に請求項１または２により予め定められた輝度調整用の信号を加えるようにしたことを特徴とする中間調表示方法。
【請求項１５】
画像を表示するために各々のフレーム内に予め定められた複数の発光ブロックを有し、該発光ブロックの組み合わせで中間調を表示する装置に対する中間調表示方法であって、
前記発光ブロックの初めに第２上位発光ブロック、最後に最上位発光ブロックが配列されている場合、
任意の１つの第ｎフレームで最上位発光ブロックに該当する信号が存在せず、
該第ｎフレームの次の第ｎ＋１フレームで最上位発光ブロックに該当する信号が存在する場合、
前記第ｎ＋１フレームの原信号に請求項３または４により予め定められた輝度調整用の信号を加えるようにしたことを特徴とする中間調表示方法。
【請求項１６】
画像を表示するために各々のフレーム内に予め定められた複数の発光ブロックを有し、該発光ブロックの組み合わせで中間調を表示する装置に対する中間調表示方法であって、
前記発光ブロックの初めに第２上位発光ブロック、最後に最上位発光ブロックが配列されている場合、
任意の１つの第ｎフレームで最上位発光ブロックに該当する信号が存在し、
該第ｎフレームの次の第ｎ＋１フレームで最上位発光ブロックに該当する信号が存在しない場合、
前記第ｎ＋１フレームの原信号に請求項１または２により予め定められた輝度調整用の信号を減ずるようにしたことを特徴とする中間調表示方法。
【請求項１７】
画像を表示するために各々のフレーム内に予め定められた複数の発光ブロックを有し、該発光ブロックの組み合わせで中間調を表示する装置に対する中間調表示方法であって、
前記発光ブロックの初めに最上位発光ブロック、最後に第２上位発光ブロックが配列されている場合、
任意の１つの第ｎフレームで最上位発光ブロックに該当する信号が存在せず、
該第ｎフレームの次の第ｎ＋１フレームで最上位発光ブロックに該当する信号が存在する場合、
前記第ｎ＋１フレームの原信号に請求項３または４により予め定められた輝度調整用の信号を減ずるようにしたことを特徴とする中間調表示方法。
【請求項１８】
画像を表示するために各々のフレーム内に予め定められた複数の発光ブロックを有し、該発光ブロックの組み合わせで中間調を表示する装置に対する中間調表示方法であって、
前記発光ブロックの初めに最上位発光ブロック、最後に第２上位発光ブロックが配列されている場合、
任意の１つの第ｎフレームで最上位発光ブロックに該当する信号が存在し、
該第ｎフレームの次の第ｎ＋１フレームで最上位発光ブロックに該当する信号が存在しない場合、
前記第ｎ＋１フレームの原信号に請求項１または２により予め定められた輝度調整用の信号を加えるようにしたことを特徴とする中間調表示方法。
【請求項１９】
画像を表示するために各々のフレーム内に予め定められた複数の発光ブロックを有し、該発光ブロックの組み合わせで中間調を表示する表示装置であって、
該表示装置に入力される任意の１つの第ｎフレームの画像データよりも少なくとも１フレーム前の第（ｎ−１）フレームの画像データを記憶するフレームメモリと、
前記第ｎフレームの画像データおよび前記フレームメモリから読み出された前記第（ｎ−１）フレームの画像データにおける各画素データを比較する比較器と、
該比較器の比較結果に対応する輝度調整用発光ブロックの信号を前記第ｎフレームの画像データに加算または減算する加減算手段とを具備し、
該加減算手段からの出力信号に基づいて表示させることを特徴とする表示装置。
【発明の詳細な説明】
【０００１】
【発明の属する技術分野】
本発明はフレーム内時間分割法で中間調表示を行う中間調表示方法および表示装置に関し、特に、ガス放電パネルの動画像部に発生する中間調乱れを改善すると共に動画偽輪郭（色偽輪郭）の発生を防止する中間調表示方法および表示装置に関する。
【０００２】
近年の表示装置の大型化に伴い、薄型の表示装置が要求されている。このため、各種類の薄型の表示装置が提供されている。例えば、ディジタル信号のままで表示するマトリックスパネル、つまりプラズマディスプレイ等のガス放電パネル、ＤＭＤ（Digital Micromirror Device) 、ＥＬ表示素子、蛍光表示管、液晶表示素子等のマトリックスパネル等が提供されている。かかる薄型の表示装置のうち、特にガス放電パネルは、簡易なプロセスのため大画面化が容易であること、自発光タイプで表示品質が良いこと、応答速度が速いこと等の理由から大画面で直視型のＨＤＴＶ用表示デバイスの最有力候補として考えられている。この表示デバイスの静止画像表示時の中間調表示特性には問題ないが、動画像部の中間調表示に乱れが発生し、表示品位を損ねているという問題があり、この乱れの生じない中間調表示方法および表示装置の提供が要望されている。
【０００３】
【従来の技術】
従来におけるメモリ型ガス放電パネルの中間調表示は、フレーム内時間分割法で行われており、この中間調表示方法は１フレーム（或いは、１フィールド：何れも６０Hz周期を規定する期間）を輝度の重みの異なるＮ枚の画面（サブフレーム：発光ブロック）で構成し、輝度の重みの小さい側から各々ＳＦ０，ＳＦ１，ＳＦ２，・・・，ＳＦ（Ｎ−１）と呼ばれ、それらの輝度の重みの比は２0 ，２1 ，２2 ，・・・２N-1 である。１フレーム内の中間調輝度は、これらのサブフレームの発光の有無を選択することにより行われ、人の目の視覚特性、すなわち、残光特性により、人の目の感じる輝度は発光サブフレーム（発光ブロック）の各々の輝度の和で表される。このときのサブフレームの１フレーム内での発光の組み合わせ、すなわち、表現できる中間調数は２N 通りである。
【０００４】
図１はフレーム内の各サブフレームの点灯シーケンスの一例を示すタイミング図であり、上記中間調表示方法を用いた場合の１フレーム内の表示シーケンスを示すものである。
図１に示されるように、１フレームは８枚（Ｎ＝８）の輝度の重みの異なるサブフレームで構成され、輝度の重みの大きい方からＳＦ７，ＳＦ６，・・・，ＳＦ０と呼ばれている。ここでＳＦ７を最上位ｂｉｔ（ＭＳＢ）側、ＳＦ０を最下位ｂｉｔ（ＬＳＢ）側と呼んでいる。各々のサブフレームは１フレームの中にＳＦ０，ＳＦ１，・・・，ＳＦ７と輝度の重みの小さいものから順に並んでいる。
【０００５】
しかし、図１のようにサブフレームが並んでいる表示シーケンスの場合において、輝度の大きさが同じ位で、発光しているサブフレームの重なりがないか、あるいは時間的に少ない中間階調レベルがフレーム毎に交互に点灯した場合、そのセルの発光がフレーム周波数の半分の周期に成り、フリッカが発生し表示品位を著しく阻害していることが知られている。
【０００６】
図２は中間階調レベルが１２７と１２８における各サブフレームの点灯状態の一例を示す図である。図２から明らかなように、中間階調レベル１２７では、サブフレームＳＦ０〜ＳＦ６が全て点灯してＳＦ７だけが点灯せず、また、中間階調レベル１２８では、サブフレームＳＦ０〜ＳＦ６が全て点灯せずにＳＦ７だけが点灯する。
【０００７】
従って、図２に示されるように、例えば、中間階調レベルの１２７と１２８がフレーム毎に交互に点灯した場合、１フレームの期間、全く点灯しない期間と点灯する期間が交互に繰り返されることになる。
すなわち、フレーム周期の半分の点灯周期となり、フリッカが発生する。上記の様な特定の中間階調レベル間を交互に繰り返す表示は、なだらかに輝度が変化している部分のアナログ映像表示データをＡ／Ｄ変換する場合においてフレーム間における変換誤差やノイズの影響等で絶えず発生している。
【０００８】
そのため、Ａ／Ｄ変換時の誤差やノイズ等がフリッカとして増幅されて表示され、映像品位を落としているという問題があった。
そこで、上記のフリッカを改善する中間調表示方法として、例えば、日本国特開平３−１４５６９１号に示されるように、サブフレーム配列を、ＳＦ０，ＳＦ２，ＳＦ４，ＳＦ６，ＳＦ７，ＳＦ５，ＳＦ３，ＳＦ１のように配列することにより改善されることが報告されている。
【０００９】
また、図１の中間調表示においては、輝度の大きさが同じ位で、発光しているサブフレームの重なりがないか、あるいは時間的に少ない中間階調レベルを隣合わせて表示した場合、それらの境界部にフリッカが発生し、表示品位を著しく阻害していることが知られていた。それは輝度が高いほど激しく起きる。そこで本フリッカを改善するために、例えば、日本国特開平４−１２７１９４号に示されるように最上位サブフレームの発光を２分割し、それより小さいサブフレームをはさんで配置することにより改善されることも提案されている。
【００１０】
また、上記の様な中間調表示方法において、動画像部の動きに滑らかさが無く映像品位を損ねているということが、日本国特開平５─１２７６１２号に報告され改善方法が提案されている。
日本国特開平５─１２７６１２号に見られるように７０Ｈｚ以下のフレーム周波数の入力画像信号の入力において、表示装置のフレーム周波数を２倍に上げる手段を設け、２倍に上げられたフレーム内で、最上位ビットを表示するサブフレームを含む正規ビットを表示する１つ以上の正規ビット用サブフレームと正規ビット未満のビットを表示する１つ以上の非正規ビット用サブフレームを持つ構成とし、静止画像部については、２倍に上げたフレームの２フレーム単位で、動画像については２倍に上げた各フレーム単位で中間調を表示する表示装置の制御方法と、２倍に上げたフレームの表示データを新たに作成するために入力画像信号に基づいて画像信号を新たに作成する処理を行うことを特徴とする中間調表示方法である。
【００１１】
図３は従来における中間階調レベルが３１である第１のフレームと中間階調レベルが３２である第２のフレームにおける点灯状態を説明する図である。同図において、参照符号３１は第一フレーム、また、３２は第二フレームを示し、第一および第二のフレーム３１、３２は２倍に上げられたフレームを示している。ここで、２倍に上げたフレーム間で同じ輝度の重みに設定されているサブフレームを正規ビット用サブフレームと呼び、３１ａ、３１ｂ、３２ａ、３２ｂを示している。また、それ以外のサブフレームを非正規ビット用サブフレームと呼ぶ。
【００１２】
【発明が解決しようとする課題】
上記した従来の技術では、静止画および動きの遅い動画像部の表示では、中間調乱れは改善されたが、動きの速い動画部では中間調乱れが依然発生していることが動画像の表示実験により判った。この中間調乱れの発生機構をフレーム内のサブフレーム数が６個で、フレーム内のサブフレーム配列がフレームの先頭側よりＳＦ５，ＳＦ４，ＳＦ３，ＳＦ２，ＳＦ１，ＳＦ０，の場合について、図４〜図７を参照しながら以下において説明する。
【００１３】
図４は従来の方法における中間調輝度の乱れの発生原因の一例を説明する図、図５は従来の方法における中間調輝度の乱れの発生原因の他の例を説明する図、図６は従来の方法における中間調輝度の乱れの発生原因のさらに別の原因を説明する図、そして、図７は中間階調レベルが３１から３２に変化する場合におけるサブフレームの分離状態の一例を示す図である。
【００１４】
青色の縦１ラインのＳＦ５を点灯させた表示を右側から左側へスクロールする表示において、例えば、１フレームに１ピクセル移動させた場合、あたかも点灯していない他の色のセルの上を移動しているように見え、スムーズな動きが観測される。このスムーズな動きは１フレームに移動するピクセルがかなり大きな場合でも観測される。この現象は心理学の分野で仮現運動、あるいはβ運動と呼ばれている。
【００１５】
次に、青色の縦１ラインのＳＦ５，ＳＦ４を点灯させた表示を１フレームに１ピクセルづつ右側から左側へスクロールさせると、図４に示すようにサブフレームの発光が空間的に分離されて表示されているのが観測される。便宜上、ＳＦ５の発光は青色のセル（Ｂ）上に表現されているが、上記と同じ理由でそれらの発光は赤色のセル（Ｒ）緑色のセル（Ｇ）上をあたかも移動しているように見える。
【００１６】
これは、ＳＦ５が点灯してから表示データの書き込み期間の約２msecの時間遅れてＳＦ４が発光した時には上記で説明した仮現運動により、ＳＦ５の発光はスクロール方向側に移動しており、あたかもＳＦ４の発光がＳＦ５の発光を追いかけているように、人の目が認識してしまうためである。同じように１フレーム内に全サブフレームを点灯させスクロールすると図５に示すように、１ピクセル内にＳＦ５〜ＳＦ０の発光が空間的に分離されて発光してるように見える。
【００１７】
図６は１フレームに２ピクセル移動した場合の観測結果である。この場合、実際に発光しているセルの間隔が２ピクセルとなり移動距離が長くなった分だけ、仮現運動で移動する光の速さが大きくなる。従って、ＳＦ５が発光してから約２msecの時間遅れてＳＦ４が発光した時には、ＳＦ５の発光部はより遠くに移動していることになり、サブフレームの空間的な発光間隔が拡がったように見える。観測結果より仮現運動発生時のサブフレームの空間的な拡がり（分離）は、１フレームの期間に移動したピクセル内に拡がることが判った。
【００１８】
従って、本来同じセルで発光しているべき各々のサブフレームの発光が動画像部では異なる場所（セル）で発光していることになり、セルの中間調輝度が各サブフレームの和で表現できなくなり、動画部で中間調輝度に乱れが発生していることが判った。
具体的な例として、単色のグラディエーション表示を勾配方向にスクロールした場合において、特定の中間階調レベルの境界部に明線や暗線が発生する。この説明を図７および図８を参照して行う。
【００１９】
フレーム内のサブフレーム数が６個で、その配列が輝度の重たいものからフレームの先頭側より配置されている表示方法において、表示画面の左側から右側へ中間階調レベルを大きくしていく青色のグラディエーション表示を行い、輝度の高い勾配方向にスクロール、すなわち、右側にスクロールするとサブフレームの点灯数が大きく異なる中間階調レベル間の境界部に暗線が発生する。
【００２０】
例えば、中間階調レベル３１と３２、１５と１６、７と８などで発生する。図７に１フレーム毎に２ピクセル移動した場合の中間階調レベル３１と３２の境界部の暗線発生の様子を模式化して表している。
図７に示されるように、動画像部では、サブフレームの空間的な分離が発生するため、中間階調レベル３１と３２の境界部で発光していないセルが１ピクセル分発生し、暗線が発生する。
【００２１】
また、輝度の低い勾配方向にスクロール、すなわち、左側にスクロールすると図９に示すように、中間階調レベル３１と３２の境界部は、発光が密で、輝度が高くなり、明線が発生する。
単色表示や色の無い表示、すなわち、点灯サブフレームがピクセル内で各色同じであれば動画像部に発生する中間調乱れは明線や暗線として発生し、中間色の表示、すなわち、点灯サブフレームがピクセル内で色毎に異なると静止時とは異なる色が発生する。
【００２２】
上記従来技術を用いて動画像を表示した場合に生じる動画偽輪郭（色偽輪郭）の発生機構を、さらに図１０〜図１２を参照して詳述する。
図１０は表示画像をスクロールした状態を示す図であり、同図（ａ）は左側から右側へ表示画像を１フレーム毎に１画素スクロールした状態を示し、また、同図（ｂ）は右側から左側へ表示画像を１フレーム毎に１画素スクロールした状態を示している。ここで、図１０（ａ）および（ｂ）において、縦軸は時間ｔを示し、横軸は空間的な位置ｘを示している。また、１Ｆ〜４Ｆはそれぞれフレームを示している。
【００２３】
図１１は左側から右側へ表示画像をスクロールした時に生じる問題を説明するための図であり、また、図１２は右側から左側へ表示画像をスクロールした時に生じる問題を説明するための図である。
図１０（ａ）に示されるように、中間階調レベル１２８と１２７を隣り合わせて表示した状態で左側から右側方向に１フレーム毎に１画素移動させると、人間の目は移動物体を追従する性質があるため、網膜上の座標原点は図中の破線矢印（ＲＯＲ）上を移動することになる。この状態を網膜上の座標を固定して、図を書き直したものが図１１（ａ）である。図１１（ａ）における横軸の目盛りは、網膜上の位置を示し、表示画像が１フレーム期間に移動する距離（網膜上の長さ）を１としている。
【００２４】
同様に、図１０（ｂ）に示されるように、中間階調レベル１２８と１２７を隣り合わせて表示した状態が右側から左側方向に１フレーム毎に１画素移動させると、人間の目は移動物体を追従する性質があるため、網膜上の座標原点は図中の破線矢印（ＲＯＬ）上を移動することになる。この状態を網膜上の座標を固定して、図を書き直したものが図１２（ａ）である。なお、図１２（ａ）における横軸の目盛りは、図１１（ａ）における横軸の目盛りと同様である。
【００２５】
ここで、中間階調レベル１２７は、サブフレームＳＦ０〜ＳＦ６が全て点灯してＳＦ７だけが点灯しない状態であり、また、中間階調レベル１２８は、サブフレームＳＦ０〜ＳＦ６が全て点灯せずにＳＦ７だけが点灯する状態である。また、図１１（ａ）および図１２（ａ）では、説明を簡単にするため、放電セルには面積を持たせていない。
【００２６】
まず、図１１（ｂ）に示されるように、中間階調レベル１２８と１２７を隣り合わせて表示した状態で左側から右側へ表示画像をスクロールすると、網膜上の位置（ｘ）においける輝度Ｋ（ｘ）は、中間階調レベル１２８と１２７との間に間隙が生じることになる。その結果、図１１（ｃ）に示されるように、網膜上の刺激量Ｌ（ｘ）が上記中間階調レベル１２８と１２７との間の間隙で落ち込む（バレーを示す）ことになる。
【００２７】
すなわち、図１１（ｃ）に示されるように、ｘ＝２．５〜３．５，３．５〜４．５，４．５〜５．５のそれぞれの刺激量の積分値をＬ（１），Ｌ（２），Ｌ（３）とすると
Ｌ（１）≒Ｌ（３）＞＞Ｌ（２）
となっていることが判る。すなわち、中間階調レベル１２８と１２７の境界部に暗線ＤＬが発生する。この現象が中間調乱れの発生機構である。
【００２８】
なお、網膜上の刺激量Ｌ（ｘ）は、以下の式により表される。
【００２９】
【数１】
0003719783.tif 000002
【００３０】
ここで、λは任意の整数を示している。なお、上記の式における積分範囲は、λ−０．５からλ＋０．５までとしたが、この積分範囲の取り方は任意であり、中間調乱れの生じる範囲にほぼ等しくすることが望ましい。
次に、図１２（ｂ）に示されるように、中間階調レベル１２８と１２７を隣り合わせて表示した状態で右側から左側へ表示画像をスクロールすると、網膜上の位置（ｘ）においける輝度Ｋ（ｘ）は、中間階調レベル１２８と１２７とが連続することになる。その結果、図１２（ｃ）に示されるように、網膜上の刺激量Ｌ（ｘ）が上記中間階調レベル１２８と１２７との境界でピークを示すことになる。
【００３１】
すなわち、図１２（ｃ）に示されるように、ｘ＝２．５〜３．５，３．５〜４．５，４．５〜５．５のそれぞれの刺激量の積分値をＬ（１），Ｌ（２），Ｌ（３）とすると
Ｌ（１）≒Ｌ（３）＜＜Ｌ（２）
となっていることが判る。すなわち、中間階調レベル１２８と１２７の境界部に明線ＢＬが発生する。
【００３２】
これは、色の有る中間階調レベルを移動した場合、例えば、緑色の中間階調レベル１２８と１２７、赤色の中間階調レベル６４のみを右側から左側へ移動した場合には、緑色の中間階調レベル境界部には暗線が発生するが、赤色は中間階調レベルの境界が存在しないため一定の輝度レベルを示すことになる。すなわち、人は、各色を合成した結果を認識するため、緑色の暗線部は赤色が目立って、色の輪郭が発生する。
【００３３】
上記現象は、特に滑らかに中間階調レベルが変化している肌色部分に顕著に発生し、それは人が振り返る映像における頬部分に赤や緑の輪郭（色偽輪郭）を発生することになる。
本発明は、上述した従来の中間調表示方法が有する課題に鑑み、画像（特に、動画像）における中間調輝度の乱れ、具体的には、映像の動画偽輪郭（色偽輪郭）を改善することを目的とする。
【００３４】
【課題を解決するための手段】
本発明によれば、画像を表示するために各々のフレーム内に予め定められた複数の発光ブロックを有し、該発光ブロックの組み合わせで中間調を表示する装置に対する中間調表示方法であって、人間の目に感じる刺激の時間変化をＢ（ｔ）とし、また中間調表示輝度の変化前のＢ（ｔ）の平均値をＳ１、発光ブロックの点灯パターンがフレーム或いはフィールド間で変化する最中のＢ（ｔ）の平均値をＳ２、変化後のＢ（ｔ）の平均値をＳ３とし、そして、輝度調整用の発光ブロックの発光による網膜上の刺激の総和をΔＳとしたとき、前記刺激の総和ΔＳが、Ｓ１≦Ｓ２＋ΔＳ≦Ｓ３、或いはＳ１≧Ｓ２＋ΔＳ≧Ｓ３を満足するように輝度調整のための発光ブロックを原信号の発光ブロックに加えるようにしたことを特徴とする中間調表示方法が提供される。
また、本発明によれば、画像を表示するために各々のフレーム内に予め定められた複数の発光ブロックを有し、該発光ブロックの組み合わせで中間調を表示する装置に対する中間調表示方法であって、人間の目に感じる刺激の時間変化をＢ（ｔ）とし、また中間調表示輝度の変化前のＢ（ｔ）の平均値をＳ１、発光ブロックの点灯パターンがフレーム或いはフィールド間で変化する最中のＢ（ｔ）の平均値をＳ２、変化後のＢ（ｔ）の平均値をＳ３とし、そして、輝度調整用の発光ブロックの発光による網膜上の刺激の総和をΔＳとしたとき、前記刺激の総和ΔＳが、０＜ΔＳ≦２（Ｓ１−Ｓ２）、或いは  ０＜ΔＳ≦２（Ｓ３−Ｓ２）を満足するように輝度調整のための発光ブロックを選択するようにしたことを特徴とする中間調表示方法が提供される。
さらに、本発明によれば、画像を表示するために各々のフレーム内に予め定められた複数の発光ブロックを有し、該発光ブロックの組み合わせで中間調を表示する装置に対する中間調表示方法であって、人間の目に感じる刺激の時間変化をＢ（ｔ）とし、また中間調表示輝度の変化前のＢ（ｔ）の平均値をＳ１、発光ブロックの点灯パターンがフレーム或いはフィールド間で変化する最中のＢ（ｔ）の平均値をＳ２、変化後のＢ（ｔ）の平均値をＳ３とし、そして、輝度調整用の発光ブロックの発光による網膜上の刺激の総和をΔＳとしたとき、前記刺激の総和ΔＳが、Ｓ１≦Ｓ２−ΔＳ≦Ｓ３、或いは  Ｓ１≧Ｓ２−ΔＳ≧Ｓ３を満足するように輝度調整のための発光ブロックを原信号の発光ブロックから減ずるようにしたことを特徴とする中間調表示方法が提供される。
また、本発明によれば、画像を表示するために各々のフレーム内に予め定められた複数の発光ブロックを有し、該発光ブロックの組み合わせで中間調を表示する装置に対する中間調表示方法であって、人間の目に感じる刺激の時間変化をＢ（ｔ）とし、また中間調表示輝度の変化前のＢ（ｔ）の平均値をＳ１、発光ブロックの点灯パターンがフレーム或いはフィールド間で変化する最中のＢ（ｔ）の平均値をＳ２、変化後のＢ（ｔ）の平均値をＳ３とし、そして、輝度調整用の発光ブロックの発光による網膜上の刺激の総和をΔＳとしたとき、前記刺激の総和ΔＳが、０＜ΔＳ≦２（Ｓ２−Ｓ１）、或いは０＜ΔＳ≦２（Ｓ２−Ｓ３）を満足するように輝度調整のための発光ブロックを選択するようにしたことを特徴とする中間調表示方法が提供される。
【００３５】
図１３は本発明が適用されるフィールド内パルス幅／数変調方式の例を説明するための図であり、同図（ａ）は図１に対応するものである。
本発明は、図１３（ａ）に示すようなアドレス期間と維持放電期間（発光期間）が分離された点灯シーケンスの表示装置だけでなく、図１３（ｂ）に示すようなアドレス期間が維持放電期間に分散しているような表示装置、或いは、他の様々な１フレームを輝度の重みの異なる複数の発光ブロック（サブフレーム）により構成した表示装置に対して適用することができる。
【００３６】
【発明の実施の形態】
本発明の中間調表示方法によれば、各々の画素の発光ブロックの点灯パターンが連続するフレーム間において変化する場合、各フレーム内において各画素に予め定められた発光ブロックに対して、該変化の状態に従って各画素に予め定められた輝度調整のための発光ブロックが加算、または減算されるようになっている。これによって、画像（特に、動画像）における映像の動画色偽輪郭を改善することができる。
【００３７】
図１４は本発明の中間調表示方法の原理を説明するための図（その１）であり、図１４は図１１に対応している。
図１４（ａ）〜（ｃ）と図１１（ａ）〜（ｃ）との比較から明らかなように、Ｌ（１）≒Ｌ（３）＞＞Ｌ（２）となって、中間階調レベル１２８と１２７の境界部に暗線（ＤＬ）が発生するような場合には、
Ｌ（１）＞Ｌ（３）の場合：Ｌ（１）≧Ｌ（２）＋ΔＬ（４）≧Ｌ（３）
Ｌ（１）＜Ｌ（３）の場合：Ｌ（１）≦Ｌ（２）＋ΔＬ（４）≦Ｌ（３）
となるように、等価パルス（発光ブロック：サブフレーム）による刺激値ΔＬ（４）を加える。
【００３８】
すなわち、図１４（ａ）および（ｂ）に示されるように、中間階調レベル１２８と１２７を隣り合わせて表示した状態で左側から右側へ表示画像をスクロールした時に生じる中間階調レベル１２８と１２７との間の暗線部分に対して、等価パルスＥＰＡを加える。これにより、図１４（ｃ）に示されるように、網膜上の刺激量Ｌ（ｘ）は、中間階調レベル１２８と１２７との境界部のＬ（２）において刺激値ΔＬ（４）だけ加算されることになり、映像の色偽輪郭（動画偽輪郭）を改善することができる。
【００３９】
従って、本発明の第１原理によれば、画像を表示するために各々のフレーム内に予め定められた複数の発光ブロックを有し、該発光ブロックの組み合わせで中間調を表示する装置に対する中間調表示方法であって、人間の目に感じる刺激の時間変化をＢ（ｔ）とし、また中間調表示輝度の変化前のＢ（ｔ）の平均値をＳ１、変化の最中のＢ（ｔ）の平均値をＳ２、変化後のＢ（ｔ）の平均値をＳ３とすれば、人間の目に感じる刺激の時間変化の平均値がΔＳであり、ΔＳが、Ｓ１≦Ｓ２＋ΔＳ≦Ｓ３、或いは、Ｓ１≧Ｓ２＋ΔＳ≧Ｓ３、を概略満足するように輝度調整のための発光ブロックを原信号の発光ブロックに加えるようにしたことを特徴とする中間調表示方法が提供される。
【００４０】
ここで、ΔＳは、０≦ΔＳ≦２（Ｓ１−Ｓ２）、或いは、０≦ΔＳ≦２（Ｓ３−Ｓ２）、を概略満足するように決めることができる。
図１５は等価パルスの挿入による効果を説明するための図である。同図（ａ）において、縦軸は発光の強度Ｉ（ｔ）を示し、横軸は時間ｔを示している。また、同図（ｂ）において、縦軸は輝度Ｂ（ｔ）を示し、横軸は時間ｔを示している。なお、１Ｆ〜４Ｆはそれぞれフレームを示している。
【００４１】
図１５（ａ）に示されるように、等価パルスＥＰＡが加算されると、図１５（ｂ）に示されるように、中間階調の変化の最中のＢ（ｔ）の平均値Ｓ２に対して、ΔＳが加えられる。すなわち、中間階調が１２７から１２８へ変化する境界部においては、輝度Ｂ（ｔ）の値がＳ２に低下するが、等価パルスＥＰＡを付加することによって、輝度Ｂ（ｔ）の値をＳ２＋ΔＳとすることができる。このΔＳは、理想的には、例えば、Ｓ１≦Ｓ２＋ΔＳ≦Ｓ３となるように規定するべきであるが、多少増減したとしても偽輪郭の改善効果は発揮されることになる。
【００４２】
図１６は等価パルスにより与えられるΔＳの大きさの条件を説明するための図であり、同図（ａ）は等価パルスによって与えられるΔＳの理想的な値を示し、また、同図（ｂ）はΔＳの最大値を示している。
図１６（ａ）中の破線で示されるように、等価パルスによって与えられる理想的なΔＳの値は、ΔＳ＝Ｓ１−Ｓ２、或いは、ΔＳ＝Ｓ３−Ｓ２である。しかしながら、実際には、このようなΔＳの値は取り難く所定の範囲に規定することになる。
【００４３】
図１６（ｂ）中の破線で示されるように、等価パルスによって与えられる最大のΔＳの値は、ΔＳ＝２（Ｓ１−Ｓ２）、或いは、ΔＳ＝２（Ｓ３−Ｓ２）であり、ΔＳの値がこれよりも大きくなると、逆に偽輪郭がひどくなる。なお、ΔＳの値は、零よりも大きければ、多少の改善の効果が有ると考えられる。従って、上述したように、ΔＳの値は、０≦ΔＳ≦２（Ｓ１−Ｓ２）となるように決めることができ、同様に、０≦ΔＳ≦２（Ｓ３−Ｓ２）となるように決めることができる。
【００４４】
図１７は各画素の面積を考慮して図１４の原理を説明するための図である。すなわち、図１１（ａ）〜（ｃ）および図１４（ａ）〜（ｃ）では、説明を簡略化するために、放電セルの面積は無視していたが、実際の放電セルは所定の面積を有しており、そのために、各図の形状は図１７（ａ）〜（ｆ）のようになる。ここで、図１７では、表示画像のスクロール速度ＶをＶ＝１画素／フレームとした場合を示している。
【００４５】
図１７（ａ）は図１１（ａ）の１Ｆに対応し、図１７（ｂ）は図１１（ｂ）に対応し、図１７（ｃ）は図１１（ｃ）に対応し、また、図１７（ｄ）は図１４（ａ）の１Ｆに対応し、図１７（ｅ）は図１４（ｂ）に対応し、図１７（ｆ）は図１４（ｃ）に対応している。なお、従来技術の課題および解決手段（本発明の第１原理の構成）は、基本的に前述したのと同様であるので、その説明は省略する。
【００４６】
図１８は本発明の中間調表示方法の原理を説明するための図（その２）であり、図１８は図１２に対応している。
図１８（ａ）〜（ｃ）と図１２（ａ）〜（ｃ）との比較から明らかなように、Ｌ（１）≒Ｌ（３）＜＜Ｌ（２）となって、中間階調レベル１２８と１２７の境界部に明線（ＢＬ）が発生するような場合には、
Ｌ（１）＞Ｌ（３）の場合：Ｌ（１）≧Ｌ（２）−ΔＬ（４）≧Ｌ（３）
Ｌ（１）＜Ｌ（３）の場合：Ｌ（１）≦Ｌ（２）−ΔＬ（４）≦Ｌ（３）
となるように、等価パルス（発光ブロック）による刺激値ΔＬ（４）を減ずる。
【００４７】
すなわち、図１８（ａ）および（ｂ）に示されるように、中間階調レベル１２８と１２７を隣り合わせて表示した状態で右側から左側へ表示画像をスクロールした時に生じる中間階調レベル１２８と１２７との間の明線部分において、等価パルスＥＰＳを減じる。これにより、図１８（ｃ）に示されるように、網膜上の刺激量Ｌ（ｘ）は、中間階調レベル１２８と１２７との境界部のＬ（２）において刺激値ΔＬ（４）だけ減算されることになり、映像の色偽輪郭を改善することができる。
【００４８】
従って、本発明の第２原理によれば、画像を表示するために各々のフレーム内に予め定められた複数の発光ブロックを有し、該発光ブロックの組み合わせで中間調を表示する装置に対する中間調表示方法であって、人間の目に感じる刺激の時間変化をＢ（ｔ）とし、また中間調表示輝度の変化前のＢ（ｔ）の平均値をＳ１、変化の最中のＢ（ｔ）の平均値をＳ２、変化後のＢ（ｔ）の平均値をＳ３とすれば、人間の目に感じる刺激の時間変化の平均値がΔＳであり、ΔＳが、Ｓ１≦Ｓ２−ΔＳ≦Ｓ３、或いは、Ｓ１≧Ｓ２−ΔＳ≧Ｓ３、を概略満足するように輝度調整のための発光ブロックを原信号の発光ブロックから減ずるようにしたことを特徴とする中間調表示方法が提供される。
【００４９】
ここで、ΔＳは、０≦ΔＳ≦２（Ｓ２−Ｓ１）、或いは、０≦ΔＳ≦２（Ｓ２−Ｓ３）、を概略満足するように決めることができる。
図１９は本発明の中間調表示方法におけるビット配列の一例を説明するための図である。
図１９（ａ）に示されるように、図１に示すようなビット配列において、中間階調レベルが１２７（点灯ブロックｂ０〜ｂ６）から１２８（点灯ブロックｂ７：最上位ビットの発光ブロック）へ変化するときには、Ａの位置に中間階調レベル６３の等価パルスを加えればよい。しかしながら、この方式では、例えば、中間階調レベルが１２７から１３０へ変化する場合でも、期間Ｔにおける発光パターンが中間階調レベル１２７から１２８へ変化する場合と同じになるため、細かい階調の変化を表現することができない。
【００５０】
すなわち、図１に示すような、サブフレーム配列ｂ０，ｂ１，ｂ２，ｂ３，ｂ４，ｂ５，ｂ６，ｂ７（ＳＦ０〜ＳＦ７）においては、中間階調レベルが１２７から１２８に変化する場合も、また、１２７から１３０に変化する場合も、共に等価パルスとして中間階調レベル６３（点灯ブロックｂ０〜ｂ６）を使用することになり、細かな中間階調レベルの変化を表現出することができない。
【００５１】
そこで、図１９（ｂ）に示すように、発光ブロック（サブフレーム）の配列を、図１における配列のビットｂ６（サブフレームＳＦ６）とビットｂ０〜ｂ５（ＳＦ０〜ＳＦ５）を入れ変えて、中間階調レベル６３の等価パルスとしてビットｂ６（中間階調レベル６４：第２上位ビット）の発光ブロックを使用するように構成する。具体的に、サブフレーム配列を先頭よりｂ６，ｂ０，ｂ１，ｂ２，ｂ３，ｂ４，ｂ５，ｂ７とする。これにより、例えば、中間階調レベル１２７（点灯ブロックｂ０〜ｂ６）から１３０（点灯ブロックｂ２，ｂ７）に変化する場合、等価パルスとしてｂ６を使用することができ、すなわち、階調表示にビットｂ０〜ｂ５を用いることができ、細かい階調の変化を表現することができる。
【００５２】
図２０は本発明の中間調表示方法におけるビット配列の他の例を説明するための図であり、図１９の場合よりも１ビット下位の発光ブロックを考慮したものである。
図２０（ａ）に示されるように、図１および図１９（ｂ）に示すようなビット配列においては、中間階調レベルが６３（点灯ブロックｂ０〜ｂ５）から６４（点灯ブロックｂ６）へ変化するときには、Ｂの位置に負の等価パルスを加えることができないため、ビット配列を変える必要がある。
【００５３】
すなわち、図２０（ｂ）および（ｃ）に示すように、発光ブロック（サブフレーム）の配列を、図１または図１９（ｂ）における配列のビットｂ５（サブフレームＳＦ５）とビットｂ０〜ｂ４（ＳＦ０〜ＳＦ４）を入れ変えて、中間階調レベル６３の等価パルスとしてビットｂ６（中間階調レベル６４）の発光ブロックを使用するように構成する。すなわち、サブフレーム配列を先頭よりｂ６，ｂ５，ｂ０，ｂ１，ｂ２，ｂ３，ｂ４，ｂ７とする。これにより、中間階調レベルが６３から６４に変化する場合でも、図２０（ａ）のＢの位置に負の等価パルス１６を入れることができるようになる。
【００５４】
図２１〜図２３は本発明に係る中間調表示方法の適用の有無による第１〜第３の移動速度によるシミュレーション結果を示す図である。ここで、各図におけるシミュレーションの条件は、発光帯の幅：４０画素（１２０サブピクセル）、左側の２０画素：中間階調レベル１２７、右側の２０画素：中間階調レベル１２８、そして、発光デューティ：１００％となっている。なお、１画素は、Ｒ，Ｇ，Ｂの３つのサブピクセルで構成されている。
【００５５】
図２１の移動速度（第１の移動速度）は３サブピクセル／フレーム（１画素／フレーム）、図２２の移動速度（第２の移動速度）は９サブピクセル／フレーム（３画素／フレーム）、そして、図２３の移動速度（第３の移動速度）は１５サブピクセル／フレーム（５画素／フレーム）となっている。ここで、各図において、縦軸は輝度を示し、横軸はサブピクセルの目盛りを示している。
【００５６】
また、図２１〜図２３における（ａ）は、中間階調レベル１２７と１２８を隣り合わせて表示した状態で左側から右側へ表示画像をスクロールした場合を示し、等価パルスＥＰＳとして中間階調レベル６４の発光ブロック（ｂ６：ＳＦ６）を減じた（負の等価パルスを加えた）様子を示している。従って、上述した図１０の場合とは、中間階調レベル１２７および１２８の配置が左右逆になっている。
【００５７】
さらに、図２１〜図２３における（ｂ）は、中間階調レベル１２７と１２８を隣り合わせて表示した状態で右側から左側へ表示画像をスクロールした場合を示し、等価パルスＥＰＡとして中間階調レベル６４の発光ブロック（ｂ６：ＳＦ６）を加えた様子を示している。従って、例えば、図１０の場合とは、中間階調レベル１２７と１２８との配置が左右逆になっている。
【００５８】
図２１（ａ),（ｂ）〜図２３（ａ),（ｂ）において、実線は等価パルス（ＥＰＡ，ＥＰＳ）による処理を行う前の波形（見え方）を示し、破線は本発明の等価パルスによる補正を行った後の波形を示している。
図２１（ａ),（ｂ）〜図２３（ａ),（ｂ）から明らかなように、等価パルス（ＥＰＡ，ＥＰＳ）による補正を行った後の波形は、ピークおよびバレーを低減して明線および暗線の発生を低減することができる様子が確認される。すなわち、図２１（ａ）〜図２３（ａ）に示されるように、中間階調レベル１２７と１２８を隣り合わせて表示した状態で左側から右側へ表示画像をスクロールした場合に、明線が生じる境界部分で等価パルスＥＰＳとして中間階調レベル６４の発光ブロックｂ６を減じることにより、波形のピークを低減して映像の色偽輪郭の改善が可能なことが判る。また、図２１（ｂ）〜図２３（ｂ）に示されるように、中間階調レベル１２７と１２８を隣り合わせて表示した状態で右側から左側へ表示画像をスクロールした場合に、暗線が生じる境界部分で等価パルスＥＰＡとして中間階調レベル６４の発光ブロックｂ６を加えることにより、波形のバレーを低減して映像の色偽輪郭の改善が可能なことが判る。
【００５９】
図２４は表示画像を横方向に移動した場合における本発明の効果を説明するための図であり、フォールス・ピクセル(False Pixel) が見えない場合の例を示している。なお、フォールス・ピクセルとは、マトリックス状の表示装置において画像を移動した場合に、例えば、赤色Ｒの画素（サブピクセル）が緑色Ｇや青色Ｂの画素の位置に観察されたり、２つの画素の間に観察される現象である。
【００６０】
図２４（ａ）は中間階調レベル１２８と１２７を隣り合わせて表示した状態で左側から右側（横方向）へ表示画像をスクロールした通常の場合（等価パルスによる補正を行っていない場合）を示し、図２４（ｂ）は等価パルスＥＰＡを加えた場合を示している。また、図２４（ｃ）は等価パルスを加えない状態での５フレーム分の刺激の和を取った場合を示し、また、図２４（ｄ）は等価パルスＥＰＡを加えた状態での５フレーム分の刺激の和を取った場合を示している。
【００６１】
図２４（ｃ）に示されるように、等価パルスを加えない状態では、中間階調レベル１２８と１２７との境界部分に大きなバレーが存在して暗線となっていたのが、図２４（ｄ）に示されるように、等価パルスＥＰＡを加えることによりバレーの影響を低減することができるのが判る。
図２５は表示画像を斜め方向に移動した場合における本発明の効果を説明するための図である。ここで、上述した図２４では、表示画像を横方向へ移動した場合を示しているが、図２５では、表示画像を斜め方向（左下側から右上側の方向）へ移動した場合を示している。
【００６２】
図２５（ａ）および（ｂ）に示されるように、中間階調レベル１２８と１２７を隣り合わせて表示した状態で斜め方向へ表示画像をスクロールした場合でも、暗い領域（ＤＬ：図２５（ａ）参照）に対して等価パルスＥＰＡを加える（図２５（ｂ）参照）ことにより、暗い領域を補正して表示画像を横方向へ移動した場合と同様の効果を得ることができる。
【００６３】
以上、図２４および図２５では、動画における本発明の効果を説明したが、次に、図２６〜図２９を参照して静止画における本発明の効果を説明する。
図２６（ａ）は中間階調レベルが１２７から１２８へ変化する時の発光の時間的変化を示すものであり、図２６（ｂ）はこの時の網膜上の刺激量の時間的変化を示す。
【００６４】
図２６（ａ）に示されるように、静止画像においても、例えば、中間階調レベルが１２７から１２８へ変化するような場合には、図２６（ｂ）に示されるように、境界部において網膜上の刺激量の落ち込み（バレー）部分ＶＰが生じる。このような場合、図２６（ｃ）に示されるように、中間階調レベルが１２７から１２８へ変化する境界部の間隙に対して等価パルスＥＰＡ（例えば、中間階調レベル６４）を加えることにより、図２６（ｄ）に示されるように、網膜上の刺激量の変化を低減することができる。
【００６５】
また、図２７（ａ）に示されるように、静止画像においても、例えば、中間階調レベルが１２８から１２７へ変化するような場合には、図２７（ｂ）に示されるように、境界部において網膜上の刺激量のピーク部分ＰＰが生じる。このような場合、図２７（ｃ）に示されるように、中間階調レベルが１２８から１２７へ変化する境界部において、等価パルスＥＰＳ（例えば、中間階調レベル６４）を減じることにより、図２７（ｄ）に示されるように、網膜上の刺激量の変化を低減することができる。
【００６６】
前述した図２６（ａ）〜図２６（ｄ）では、静止画像において、中間階調レベルが１２７から１２８へ変化する場合に等価パルスＥＰＡ（中間階調レベル６４）を加えたのに対して、図２８（ａ）〜図２８（ｄ）では、中間階調レベルが６３から６４へ変化する場合に等価パルスＥＰＡ（中間階調レベル１６）を加える様子を示している。また、前述した図２７（ａ）〜図２７（ｄ）では、静止画像において、中間階調レベルが１２８から１２７へ変化する場合に等価パルスＥＰＳ（中間階調レベル６４）を減じたのに対して、図２９（ａ）〜図２９（ｄ）では、中間階調レベルが６４から６３へ変化する場合に等価パルスＥＰＳ（中間階調レベル１６）を減じる様子を示している。ここで、図２８（ａ）〜図２８（ｄ）および図２９（ａ）〜図２９（ｄ）の説明は、前述した図２６（ａ）〜図２６（ｄ）および図２７（ａ）〜図２７（ｄ）と同様であるので省略する。
【００６７】
このように、本発明の中間調表示方法によれば、画像（特に、動画像）における中間調輝度の乱れ、具体的には、映像の動画偽輪郭（色偽輪郭）を改善することができる。
【００６８】
【実施例】
以下に、本発明に係る中間調表示方法を実現する表示装置の具体例を図面を参照しながら詳細に説明する。
図３０は、上述した本発明に係る中間調表示方法を実施する場合の表示装置の一例を示すブロック図である。図３０において、参照符号１００は表示装置、２００は輝度調整用発光ブロック挿入手段を示している。ここで、参照符号２１０は原信号（表示データ）を示し、２２０は輝度調整用発光ブロック挿入後の信号を示している。
【００６９】
図３０に示されるように、表示装置１００は、画像表示部（表示パネル）１０２、該画像表示部１０２を駆動するＸデコーダ１３１並びにＸドライバ１３２、Ｙデコーダ１４１並びにＹドライバ１４２、および、Ｘドライバ１３２並びにＹドライバ１４２を駆動制御する制御部５を備えて構成されている。
ここで、１フレームの画像は、例えば、複数個のサブフレーム（発光ブロック）により階調を変化させながら画像表示部１０２に表示するようになており、該複数個のサブフレームは、例えば、それぞれアドレス期間と維持放電期間とで構成されている。なお、本発明が適用される表示装置としては、プラズマディスプレイ等のガス放電パネルの他に、フレーム内時間分割法で中間調表示を行う様々な表示装置、例えば、ＤＭＤ（Digital Micromirror Device) やＥＬパネル等に対しても適用可能なのはもちろんである。
【００７０】
すなわち、図３０における表示装置１００は、基本的には、サブフレーム利用の階調表示を行う構造のものであれば、如何なるパネルでも使用することが可能であり、本発明の適用は、表示データ（原信号２１０）を輝度調整用発光ブロック挿入手段２００を介して表示装置１００に供給すればよいことになる。ここで、輝度調整用発光ブロック挿入手段２００は、原信号２１０のフレーム（或いは、フィールド）間の信号の変化の有無に従って、該原信号に輝度調整用の発光ブロック（等価パルス：サブフレーム）を加え、或いは、減じた信号２２０を出力するようになっている。
【００７１】
図３１は本発明に係る表示装置における輝度調整用発光ブロック挿入手段の一構成例を概略的に示すブロック図である。
図３１に示されるように、輝度調整用発光ブロック挿入手段２００は、１フレーム分の遅延を与える遅延手段３１０および輝度調整を行うための輝度調整用発光ブロック追加手段４００を備えている。すなわち、輝度調整用発光ブロック追加手段４００には、原信号（表示データ）２１０および該原信号を１フレームに対応する時間だけ遅延させた信号２３０が供給され、そして、輝度調整用発光ブロック追加手段４００は、原信号に輝度調整用の発光ブロック（等価パルス）を加減した信号２２０を出力するようになっている。
【００７２】
図３２は本発明に係る表示装置の第１実施例としての輝度調整用発光ブロック追加手段４００の構成を概略的に示すブロック図である。
図３２に示されるように、輝度調整用発光ブロック追加手段４００は、原信号２１０並びに該原信号を１フレーム分遅延させた信号２３０が供給された等価パルス判別手段４１０、および、該１フレーム分遅延された信号２３０並びに等価パルス判別手段４１０の出力が供給された等価パルス追加手段４２０を備えている。
【００７３】
図３３は図３２に示す輝度調整用発光ブロック追加手段４００の第１実施例の具体的な回路構成の一例を示すブロック回路図である。同図において、参照符号２１１〜２１８は、図３２中の原信号２１０のビット信号（発光ブロック、サブフレームに対応）ｂ０n+1 〜ｂ７n+1 を示し、２２１〜２２８は、原信号に等価パルスを加算（減算）した図３２中の信号２２０のビット信号ｂ０n+1'〜ｂ７n+1'を示し、そして、２３７および２３８は、それぞれ原信号を１フレーム分遅延した図３２中の信号２３０の第２上位ビット信号ｂ６n および最上位ビット信号ｂ７n を示している。
【００７４】
図３３に示されるように、等価パルス判別手段４１０は、２つの等価パルス判別回路４１１および４１２により構成され、また、等価パルス追加手段４２０は、等価パルス判別回路４１１および４１２の出力信号である等価パルス挿入判別信号４３１および４３３と等価パルス極性信号４３２および４３４がそれぞれ供給された２つの等価パルス追加回路４２１および４２２により構成されている。これにより、輝度調整用発光ブロック追加手段４００は、原信号２１０（２１１〜２１８）および該原信号を１フレーム分遅延させた信号２３０（２３７，２３８）を受け取って、原信号に輝度調整用の発光ブロックを加減した信号２２０（２２１〜２２８）を出力するようになっている。
【００７５】
すなわち、等価パルス判別回路４１１は、フレーム間の最上位ビット信号（ｂ７n およびｂ７n+1)の有無を判別し、また、等価パルス判別回路４１２は最上位側から２ビット目（第２上位ビット：ｂ６n およびｂ６n+1)の信号の有無を判別する。さらに、等価パルス判別回路４１１，４１２は、等価パルスの極性、すなわち、正の等価パルスを加える（等価パルスを加える）か、或いは、負の等価パルスを加える（等価パルスを減じる）かの選択を行う。
【００７６】
ここで、等価パルス判別回路４１１の出力Ｙ１がビットの変化の有無の判別結果に対応し、具体的に、高レベル“Ｈ”の時にはフレーム間の最上位ビット信号（ｂ７n およびｂ７n+1)に変化があった場合を示し、逆に、低レベル“Ｌ”の時には変化がなかった場合を示す。また、等価パルス判別回路４１１の出力Ｙ０は、等価パルスの極性に対応し、具体的に、高レベル“Ｈ”の時には正の等価パルスを、逆に、低レベル“Ｌ”の時には負の等価パルスを示す。
【００７７】
図３４は等価パルス判別回路４１１（４１２）の具体的な回路構成を示す論理回路図であり、また、図３５は等価パルス追加回路４２１（４２２）の具体的な回路構成を示す論理回路図である。
まず、図３４に示されるように、等価パルス判別回路４１１（４１２）は、１つのエクスクルーシブ・オア・ゲートＥＯＲにより構成され、入力ＡおよびＢから出力Ｙ１およびＹ２を作成するようになっている。なお、以下に説明する各実施例における等価パルス判別回路４１１，４１２；５１１，５１２は、図３４に示す等価パルス判別回路４１１と同様の回路構成となっている。
【００７８】
次の表−１は、等価パルス判別回路の真理値表を示している。
【００７９】
【表１】
0003719783.tif 000003
【００８０】
次に、図３５に示されるように、等価パルス追加回路４２１（４２２）は、２つのアンド・ゲートＡＮＤ１，ＡＮＤ２、１つのオア・ゲートＯＲ、および、１つのインバータＩＮＶにより構成され、入力Ａ，Ｂ，Ｓから出力Ｙを作成するようになっている。なお、以下に説明する各実施例における等価パルス追加回路４２１，４２２；５２１，５２２は、図３５に示す等価パルス判別回路４２１と同様の回路構成となっている。
【００８１】
次の表−２は、等価パルス追加回路の真理値表を示している。
【００８２】
【表２】
0003719783.tif 000004
【００８３】
ここで、表−１、図３３および図３４から明らかなように、例えば、等価パルス判別回路４１１において、入力Ａは第ｎ＋１フレーム（第ｎフレームの次のフレーム）の最上位ビット信号ｂ７n+1 であり、入力Ｂは第ｎフレーム（任意のフレーム）の最上位ビット信号ｂ７n である。そして、これら入力Ａおよび入力Ｂが第ｎフレームと第ｎ＋１フレームとの間で変化しない場合には、データの変更は行わず（出力Ｙ１を低レベル“Ｌ”とし）、また、入力Ａおよび入力Ｂが第ｎフレームと第ｎ＋１フレームとの間で変化する場合には、出力Ｙ１を高レベル“Ｈ”として等価パルスを加え、或いは、減じる（負の等価パルスを加える）。なお、出力Ｙ０は、入力Ａがそのまま出力されている。
【００８４】
また、表−２、図３３および図３５に示されるように、等価パルス追加回路４２１において、入力Ｓは等価パルス判別回路４１１の出力Ｙ１（ＸＯＲゲートの出力）であり、入力Ａは等価パルス判別回路４１１の出力Ｙ０（ｂ７n+1)であり、そして、入力Ｂは第ｎ＋１フレームの第２上位ビット信号ｂ６n+1 である。
従って、第ｎフレームと次の第ｎ＋１フレームとの間で最上位ビット（ｂ６n.ｂ７n+1)が変化する場合には、等価パルス追加回路４２１の入力Ｓが高レベル“Ｈ”となり、アンドゲートＡＮＤ２の出口がそのままオアゲートＯＲを介して、出力Ｙとして出力される。具体的に、第ｎフレームで最上位ビット信号ｂ７n が存在せず（例えば、中間階調レベル１２７）、且つ、次の第ｎ＋１フレームで最上位ビット信号ｂ７n+1 が存在する場合（例えば、中間階調レベル１２８）には、等価パルス追加回路４２１の入力Ｓおよび入力Ａが共に高レベル“Ｈ”となるため、出力Ｙも高レベル“Ｈ”となり、正の等価パルス（例えば、中間階調レベル６４）が原信号（表示データ）に加えられる。また、第ｎフレームで最上位ビット信号ｂ７n が存在し、次の第ｎ＋１フレームで最上位ビット信号ｂ７n+1 が存在しない場合には、等価パルス追加回路４２１の入力Ｓが高レベル“Ｈ”で入力Ａが低レベル“Ｌ”となるため、出力Ｙが低レベル“Ｌ”となり、負の等価パルスが原信号に加えられる（等価パルスが減じられる）。
【００８５】
なお、等価パルス判別回路４１２および等価パルス追加回路４２２は、第ｎフレームと第ｎ＋１フレームとの間で、上述した等価パルス判別回路４１１および等価パルス追加回路４２１よりも１ビット下位のビット信号（ｂ６n.ｂ６n+1)の変化を捉えて等価パルスの加算処理（加減算処理）を行うようになっている。なお、以下に示す図３６、図３８、図３９、および、図４２〜図４５における等価パルス判別回路および等価パルス追加回路の各入力に対する出力のレベルは、上述したものと同様である。
【００８６】
図３６は図３２に示す輝度調整用発光ブロック追加手段４００の第１実施例の具体的な回路構成の他の例を示すブロック回路図である。同図において、参照符号４９０〜４９８は、１画素分の遅延を与える遅延手段を示している。
図３６に示されるように、輝度調整用発光ブロック追加手段４００は、２つの等価パルス判別回路４１１並びに４１２、等価パルス追加回路４２１並びに４２２、および、９つの遅延手段４９０〜４９８を備えて構成されている。ここで、等価パルス追加回路４２１の出力である信号４３５は、信号２１７（ｂ６n+1)に対して等価パルスを加減した信号を示し、また、遅延手段４９６および４９５の出力である信号４３６および信号４３７は、信号２３７（ｂ６n ）および信号２１６（ｂ５n+1)を１画素分遅延した信号を示している。
【００８７】
図３６に示す回路例は、図３３の回路において、上位ビット側の等価パルスの加減の状態が下位側の等価パルスの選択の有無に影響を及ぼすように構成したものである。
第２上位ビットの発光ブロック（ｂ６）を等価パルスとして加減すると、第３上位ビットの発光ブロック（ｂ５）が該第２上位ビットの発光ブロック（ｂ６）の等価パルスの加減に応じて規定されるようになっている。すなわち、等価パルス判別回路４１１に供給される信号２１８および２３８が等価パルス判別回路４１２に供給される信号２２７および４３６に対応し、また、等価パルス追加回路４２１に供給される信号４３１，４３２および２１７が等価パルス追加回路４２２に供給される信号４３３，４３４および４３７に対応している。そして、等価パルス追加回路４２１が第２上位ビットの等価パルス（発光ブロック）の加減を規定し、等価パルス追加回路４２２が第３上位ビットの等価パルスの加減を規定するようになっている。
【００８８】
図３７は本発明に係る表示装置の第２実施例としての輝度調整用発光ブロック追加手段４００の構成を概略的に示すブロック図である。
図３７を図３２と比較すると明らかなように、図３７に示す第２実施例では、図３２に示す第１実施例のブロック図において、信号２１０および２３０を逆に供給するようになっている。
【００８９】
すなわち、本第２実施例では、図３７に示されるように、輝度調整用発光ブロック追加手段４００は、原信号２１０並びに該原信号を１フレーム分遅延させた信号２３０が供給された等価パルス判別手段４１０、および、原信号２１０並びに等価パルス判別手段４１０の出力が供給された等価パルス追加手段４２０を備えている。
【００９０】
ここで、図３２は、例えば、図１に示されるような、フレーム内の発光ブロック（サブフレーム）の配列順序がフレームの先頭より発光ブロックの下位側から上位側に配列されている場合を示しているが、図３７は、図３２とは逆に、フレーム内の発光ブロック（サブフレーム）の配列順序がフレームの先頭より発光ブロックの上位側から下位側に配列されている場合を示している。
【００９１】
図３８は図３７に示す輝度調整用発光ブロック追加手段の第２実施例の具体的な回路構成の一例を示すブロック回路図であり、また、図３９は図３７に示す輝度調整用発光ブロック追加手段の第２実施例の具体的な回路構成の他の例を示すブロック回路図である。
図３８と図３３および図３９と図３６との比較から明らかなように、図３８および図３９に示す回路構成は、図３２および図３６に示す回路構成における信号２１１〜２１８（ｂ０n+1 〜ｂ７n+1)を信号２３１〜２３８（ｂ０n 〜ｂ７n ) とし、また、信号２３７，２３８（ｂ６n,ｂ７n ）を信号２１７，２１８（ｂ６n+1,ｂ７n+1)として構成したものであり、その他の構成は図３２および図３６と同様であためその説明は省略する。
【００９２】
図４０は本発明に係る表示装置における輝度調整用発光ブロック挿入手段２００の他の構成例を概略的に示すブロック図である。
図４０に示されるように、輝度調整用発光ブロック挿入手段２００は、１フレーム分の遅延を与える遅延手段３１０並びに３２０、および、輝度調整を行うための輝度調整用発光ブロック追加手段５００を備えている。すなわち、輝度調整用発光ブロック追加手段５００には、原信号（表示データ）２１０、該原信号を１フレームに対応する時間だけ遅延させた信号２３０、および、該原信号を２フレームに対応する時間だけ遅延させた信号２４０が供給され、そして、輝度調整用発光ブロック追加手段５００は、原信号に輝度調整用の発光ブロック（等価パルス）を加減した信号２２０を出力するようになっている。
【００９３】
図４１は本発明に係る表示装置の第３実施例および第４実施例としての輝度調整用発光ブロック追加手段５００の構成を概略的に示すブロック図である。
図４１に示されるように、輝度調整用発光ブロック追加手段５００は、原信号２１０，該原信号を１フレーム分遅延させた信号２３０，および，該原信号を２フレーム分遅延させた信号２４０が供給された等価パルス判別手段５１０と、該１フレーム分遅延された信号２３０および等価パルス判別手段５１０の出力が供給された等価パルス追加手段５２０を備えている。
【００９４】
図４２は図４１に示す輝度調整用発光ブロック追加手段５００の第３実施例の具体的な回路構成の一例を示すブロック回路図である。同図において、参照符号２１７は、原信号２１０の第２上位ビット信号（発光ブロック、サブフレームに対応）ｂ６n+1 を示し、２２１〜２２８は、原信号に等価パルスを加算（減算）した信号２２０のビット信号ｂ０n+1'〜ｂ７n+1'を示し、２３１〜２３８は、原信号を１フレーム分遅延した信号２３０のビット信号ｂ０n 〜ｂ７n を示し、そして、２４８は、原信号を２フレーム分遅延した信号２４０の最上位ビット信号ｂ７n-1 を示している。
【００９５】
図４２に示されるように、等価パルス判別手段５１０は、２つの等価パルス判別回路５１１および５１２により構成され、また、等価パルス追加手段５２０は、等価パルス判別回路５１１および５１２の出力信号である等価パルス挿入判別信号５３１および５３３と等価パルス極性信号５３２および５３４がそれぞれ供給された２つの等価パルス追加回路５２１および５２２により構成されている。これにより、輝度調整用発光ブロック追加手段５００は、原信号２１０（２１７),原信号を１フレーム分遅延した信号２３０（２３１〜２３８),および, 原信号を２フレーム分遅延させた信号２４０（２４８）を受け取って、原信号に輝度調整用の発光ブロックを加減した信号２２０（２２１〜２２８）を出力するようになっている。
【００９６】
すなわち、等価パルス判別回路５１１は、１フレーム分および２フレーム分遅延した信号の最上位ビット信号（ｂ７n およびｂ７n-1)の有無を判別し、また、等価パルス判別回路５１２は、原信号と１フレーム分遅延した信号の最上位側から２ビット目（第２上位ビット：ｂ６n およびｂ６n+1)の信号の有無を判別する。さらに、等価パルス判別回路５１１，５１２は、等価パルスの極性、すなわち、正の等価パルスを加える（等価パルスを加える）か、或いは、負の等価パルスを加える（等価パルスを減じる）かの選択を行う。
【００９７】
ここで、等価パルス判別回路５１１の出力Ｙ１がビットの変化の有無の判別結果に対応し、具体的に、高レベル“Ｈ”の時には、１フレーム分および２フレーム分遅延した信号の最上位ビット信号（ｂ７n およびｂ７n-1)に変化があった場合を示し、逆に、低レベル“Ｌ”の時には変化がなかった場合を示す。また、等価パルス判別回路５１１の出力Ｙ０は、等価パルスの極性に対応し、具体的に、高レベル“Ｈ”の時には正の等価パルスを示し、逆に、低レベル“Ｌ”の時には負の等価パルスを示している。
【００９８】
図４３は図４１に示す輝度調整用発光ブロック追加手段の第３実施例の具体的な回路構成の他の例を示すブロック回路図である。同図において、参照符号４９０〜４９８は、１画素分の遅延を与える遅延手段を示している。
図４３に示す回路例は、前述した図３６と図３３との関係と同様に、図４２の回路において、上位ビット側の等価パルス加減の状態が下位側の等価パルスの選択の有無に影響を及ぼすように構成したものである。
【００９９】
上記した第３実施例は、フレーム内のサブフレームのビット配列がｂ５，ｂ４，ｂ０，ｂ１，ｂ２，ｂ３，ｂ７と配列されている場合であり、また、次に示す第４実施例は、フレーム内のサブフレームのビット配列がｂ７，ｂ４，ｂ３，ｂ２，ｂ１，ｂ４，ｂ５と配列されている場合である。すなわち、図４４および図４５に示す第４実施例は、図４２および図４３に示す第３実施例におけるフレーム内の発光ブロック（サブフレーム）の配列順序が、逆になっている。
【０１００】
図４４は図４１に示す輝度調整用発光ブロック追加手段の第４実施例の具体的な回路構成の一例を示すブロック回路図であり、また、図４５は図４１に示す輝度調整用発光ブロック追加手段の第４実施例の具体的な回路構成の他の例を示すブロック回路図である。
図４４と図４２および図４５と図４３との比較から明らかなように、図４４および図４５に示す回路構成は、図４２および図４３に示す回路構成における信号２１７（ｂ６n+1)を信号２４７（ｂ６n-1)とし、また、信号２４８（ｂ７n-1)を信号２１８（ｂ７n+1)として構成したものであり、その他の構成は図４２および図４３と同様である。
【０１０１】
なお、以上の各実施例において、輝度調整用発光ブロック追加手段４００，５００は、上記のような回路ではなく、ＲＡＭやＲＯＭ等の記憶素子により構成したＬＵＴ（Look Up Table)として構成することもできる。
図４６は図３１に示す輝度調整用発光ブロック追加手段の一変形例を示すブロック図である。同図において、参照符号３１０は１垂直同期期間（１Ｖ）の遅延を与えるためのフレームメモリ（遅延手段）、４００は輝度調整用発光ブロック追加手段、４１０は等価パルス判別手段、そして、４２０は等価パルス追加手段を示している。
【０１０２】
図４６に示されるように、本変形例において、等価パルス判別手段４１０は、比較部（比較回路）４１０ａおよびルックアップテーブル（ＬＵＴ：ＲＯＭ）４１０ｂにより構成され、また、等価パルス追加手段４２０は加算部（加算回路）として構成されている。比較部４１０ａは、第ｎフレームのビットデータと該第ｎフレームの次の第ｎ＋１フレームのビットデータとを比較し、該ビットデータが点灯から非点灯になったビットに対しては“＋１”、非点灯から点灯になったビットに対しては“−１”、そして、両フレーム間でデータの変化が無かったビットに対しては“０”を出力するようになっている。
【０１０３】
ＬＵＴ４１０ｂは、例えば、予め所定のデータが書き込まれたＲＯＭとして構成され、比較部４１０ａの出力に応じて、予め定められた（予め書き込まれた）等価パルスを発生する。このＬＵＴ４１０ｂから出力される等価パルスは正負の符号を有している。
加算部４２０は、原信号（表示データ２１０）に対して等価パルス（正負の符号付）を加算し（等価パルスが負の場合には、減ずることになる）、等価パルス加減後の表示信号（２２０）を出力するようになっている。
【０１０４】
図４７は図３１に示す輝度調整用発光ブロック追加手段の他の変形例を示すブロック図である。
図４７に示す変形例では、輝度調整用発光ブロック追加手段４００全体をＲＯＭとして構成し、第ｎフレームのビットデータ（１Ｖだけ遅延された信号２３０）と該第ｎフレームの次の第ｎ＋１フレームのビットデータ（原信号２１０）とを入力として、それらの値に対応した出力（等価パルス加減後の表示信号２２０）を直接出力するようになっている。ここで、輝度調整用発光ブロック追加手段４００の入力Ａ＊に供給される信号は、比較を行う上位ビット信号数（例えば、最上位ビットｂ７および第２上位ビットｂ６を比較する場合には、２ビット）に応じて変化する。
【０１０５】
図４８は本発明に係る表示装置の回路構成の一例における動作を説明するためのフローチャートであり、図１３（ａ）に示すようなアドレス期間と維持放電期間（発光期間）が分離された点灯シーケンスの表示装置における動作を説明するためのものである。
まず、中間調表示処理が開始されると、ステップＳ３１において、Ｒ（赤色），Ｇ（緑色），Ｂ（青色）の各信号が作成され、ステップＳ３２に進んで、任意の第ｎフレームの信号をメモリ（フレームメモリ）に入れ、さらに、ステップＳ３３に進んで、第ｎフレームの次の第ｎ＋１フレームの信号をメモリに入れる。
【０１０６】
次に、ステップＳ３４において、両フレームメモリ内の各放電セルに付いての中間階調レベルｂ７（最上位ビット）の変化を見る。そして、ステップＳ３５に進んで、第ｎフレームおよび第ｎ＋１フレームの信号における最上位ビットｂ７の有無を判断し、その結果に従った処理を行う。
すなわち、第ｎフレームおよび第ｎ＋１フレームにおいて、最上位ビットｂ７が共に有る場合および共に無い場合は、データの変更はしない。これに対して、第ｎフレームで最上位ビットｂ７が無く、第ｎ＋１フレームにおいてビットｂ７が有る場合、第ｎ＋１フレームの信号に対して正の等価パルス（ＥＰＡ：例えば、中間階調レベル６４の等価パルスｂ６）を追加する。また、第ｎフレームでビットｂ７が有り、第ｎ＋１フレームにおいてビットｂ７が無い場合、第ｎ＋１フレームの信号に対して負の等価パルス（ＥＰＳ：例えば、中間階調レベル６４の等価パルスｂ６）を追加、すなわち、第ｎ＋１フレームの信号から等価パルスＥＰＳを減じる。
【０１０７】
さらに、ステップＳ３５の処理が終了すると、ステップＳ３６に進んで、両フレームメモリの各放電セルに付いての中間階調レベルｂ６（第２上位ビット）の変化を見る。そして、ステップＳ３７に進んで、第ｎフレームおよび第ｎ＋１フレームにおける第２上位ビットｂ６の有無を判断し、その結果に従った処理を行う。
【０１０８】
すなわち、第ｎフレームおよび第ｎ＋１フレームにおいて、第２上位ビットｂ６が共に有る場合および共に無い場合は、データの変更はしない。これに対して、第ｎフレームで第２上位ビットｂ６が無く、第ｎ＋１フレームにおいてビットｂ６が有る場合、第ｎフレームの信号に対して負の等価パルス（ＥＰＳ：例えば、中間階調レベル１６の等価パルスｂ４）を追加、すなわち、第ｎフレームの信号から等価パルスＥＰＳを減じる。また、第ｎフレームでビットｂ６が有り、第ｎ＋１フレームにおいてビットｂ６が無い場合、第ｎフレームの信号に対して正の等価パルス（ＥＰＡ：例えば、中間階調レベル１６の等価パルスｂ４）を追加する。そして、ステップＳ３８に進んで、上記により得られた信号（表示データ）により、表示パネル（ＰＤＰ：プラズマ・ディスプレイ・パネル）に表示を行う。
【０１０９】
図４９は本発明に係る表示装置の回路構成の他の例における動作を説明するためのフローチャートであり、図１３（ｂ）に示すようなアドレス期間が維持放電期間に分散しているような表示装置、或いは、他の様々な１フレームを輝度の重みの異なる複数の発光ブロック（サブフレーム）により構成した表示装置における動作を説明するためのものである。ここで、図４９におけるステップＳ４１〜ステップＳ４６は、図４８におけるステップＳ３１〜ステップＳ３６に対応しているので、その説明は省略する。
【０１１０】
すなわち、ステップＳ４５の処理が終了すると、ステップＳ４６に進んで、両フレームメモリの各放電セルに付いての中間階調レベルｂ６（第２上位ビット）の変化を見る。そして、ステップＳ４７に進んで、第ｎフレームおよび第ｎ＋１フレームにおける第２上位ビットｂ６の有無を判断し、その結果に従った処理を行う。
【０１１１】
ステップＳ４７において、第ｎフレームおよび第ｎ＋１フレームで第２上位ビットｂ６が共に有る場合および共に無い場合は、データの変更はしない。これに対して、第ｎフレームで第２上位ビットｂ６が無く、第ｎ＋１フレームにおいてビットｂ６が有る場合、第ｎ＋１フレームに対して正の等価パルス（ＥＰＡ：例えば、中間階調レベル１６の等価パルスｂ４）を追加する。また、第ｎフレームでビットｂ６が有り、第ｎ＋１フレームにおいてビットｂ６が無い場合、第ｎ＋１フレームに対して負の等価パルス（ＥＰＳ：例えば、中間階調レベル１６の等価パルスｂ４）を追加、すなわち、第ｎ＋１フレームにおいて、等価パルスＥＰＳを減じる。そして、ステップＳ４８に進んで、上記により得られた信号（表示データ）により、表示パネル（ＰＤＰ：プラズマ・ディスプレイ・パネル）に表示を行う。以上は、中間調レベル（ビット信号）ｂ６およびｂ７の信号に対して、正または負の等価パルスを加える実施例であるが、ビット信号ｂ７のみに等価パルスを加える、或いは、ビット信号ｂ５以下の信号に対しても等価パルスを加えることができるのは言うまでもない。
【０１１２】
なお、本発明が適用される表示装置としては、プラズマディスプレイ等のガス放電パネルの他に、フレーム内時間分割法で中間調表示を行う様々な表示装置、例えば、ＤＭＤ（Digital Micromirror Device) やＥＬパネル等に対しても適用可能なのは前述した通りである。
【０１１３】
【発明の効果】
以上、詳述したように、本発明によれば、各々の画素の発光ブロックの点灯パターンが連続するフレーム間において変化する場合、各フレーム内において各画素に予め定められた発光ブロックに対して、該変化の状態に従って各画素に予め定められた輝度調整のための発光ブロックが加算、または減算されるようになっている。これによって、画像（特に、動画像）における中間調輝度の乱れ、具体的には、映像の動画偽輪郭（色偽輪郭）を改善することができる。
【図面の簡単な説明】
【図１】フレーム内の各サブフレームの点灯シーケンスの一例を示すタイミング図である。
【図２】中間階調レベルが１２７と１２８における各サブフレームの点灯状態の一例を示す図である。
【図３】従来における中間階調レベルが３１である第１のフレームと中間階調レベルが３２である第２のフレームにおける点灯状態を説明する図である。
【図４】従来の方法における中間調輝度の乱れの発生原因の一例を説明する図である。
【図５】従来の方法における中間調輝度の乱れの発生原因の他の例を説明する図である。
【図６】従来の方法における中間調輝度の乱れの発生原因のさらに別の原因を説明する図である。
【図７】中間階調レベルが３１から３２に変化する場合におけるサブフレームの分離状態の一例を示す図である。
【図８】中間階調レベルが３２から３１に変化する場合におけるサブフレームの分離状態の一例を示す図である。
【図９】図７に示す具体例において、右方向スクロールを行った場合のサブフレームの分離状態の一例を示す図である。
【図１０】表示画像をスクロールした状態を示す図である。
【図１１】左側から右側へ表示画像をスクロールした時に生じる問題を説明するための図である。
【図１２】右側から左側へ表示画像をスクロールした時に生じる問題を説明するための図である。
【図１３】本発明が適用されるフィールド内パルス幅／数変調方式の例を説明するための図である。
【図１４】本発明の中間調表示方法の原理を説明するための図（その１）である。
【図１５】等価パルスの挿入による効果を説明するための図である。
【図１６】等価パルスにより与えられるΔＳの大きさの条件を説明するための図である。
【図１７】各画素の面積を考慮して図１４の原理を説明するための図である。
【図１８】本発明の中間調表示方法の原理を説明するための図（その２）である。
【図１９】本発明の中間調表示方法におけるビット配列の一例を説明するための図である。
【図２０】本発明の中間調表示方法におけるビット配列の他の例を説明するための図である。
【図２１】本発明に係る中間調表示方法の適用の有無による第１の移動速度でのシミュレーション結果を示す図である。
【図２２】本発明に係る中間調表示方法の適用の有無による第２の移動速度でのシミュレーション結果を示す図である。
【図２３】本発明に係る中間調表示方法の適用の有無による第３の移動速度でのシミュレーション結果を示す図である。
【図２４】表示画像を横方向に移動した場合における本発明の効果を説明するための図である。
【図２５】表示画像を斜め方向に移動した場合における本発明の効果を説明するための図である。
【図２６】静止画像に対して本発明を適用した場合の効果を説明するための図（その１）である。
【図２７】静止画像に対して本発明を適用した場合の効果を説明するための図（その２）である。
【図２８】静止画像に対して本発明を適用した場合の効果を説明するための図（その３）である。
【図２９】静止画像に対して本発明を適用した場合の効果を説明するための図（その４）である。
【図３０】本発明に係る表示装置の一例の概略構成を示すブロック図である。
【図３１】本発明に係る表示装置における輝度調整用発光ブロック挿入手段の一構成例を概略的に示すブロック図である。
【図３２】本発明に係る表示装置の第１実施例としての輝度調整用発光ブロック追加手段の構成を概略的に示すブロック図である。
【図３３】図３２に示す輝度調整用発光ブロック追加手段の第１実施例の具体的な回路構成の一例を示すブロック回路図である。
【図３４】等価パルス判別回路の具体的な回路構成を示す論理回路図である。
【図３５】等価パルス追加回路の具体的な回路構成を示す論理回路図である。
【図３６】図３２に示す輝度調整用発光ブロック追加手段の第１実施例の具体的な回路構成の他の例を示すブロック回路図である。
【図３７】本発明に係る表示装置の第２実施例としての輝度調整用発光ブロック追加手段の構成を概略的に示すブロック図である。
【図３８】図３７に示す輝度調整用発光ブロック追加手段の第２実施例の具体的な回路構成の一例を示すブロック回路図である。
【図３９】図３７に示す輝度調整用発光ブロック追加手段の第２実施例の具体的な回路構成の他の例を示すブロック回路図である。
【図４０】本発明に係る表示装置における輝度調整用発光ブロック挿入手段の他の構成例を概略的に示すブロック図である。
【図４１】本発明に係る表示装置の第３実施例および第４実施例としての輝度調整用発光ブロック追加手段の構成を概略的に示すブロック図である。
【図４２】図４１に示す輝度調整用発光ブロック追加手段の第３実施例の具体的な回路構成の一例を示すブロック回路図である。
【図４３】図４１に示す輝度調整用発光ブロック追加手段の第３実施例の具体的な回路構成の他の例を示すブロック回路図である。
【図４４】図４１に示す輝度調整用発光ブロック追加手段の第４実施例の具体的な回路構成の一例を示すブロック回路図である。
【図４５】図４１に示す輝度調整用発光ブロック追加手段の第４実施例の具体的な回路構成の他の例を示すブロック回路図である。
【図４６】図３１に示す輝度調整用発光ブロック追加手段の一変形例を示すブロック図である。
【図４７】図３１に示す輝度調整用発光ブロック追加手段の他の変形例を示すブロック図である。
【図４８】本発明に係る表示装置の回路構成の一例における動作を説明するためのフローチャートである。
【図４９】本発明に係る表示装置の回路構成の他の例における動作を説明するためのフローチャートである。
【符号の説明】
１００…表示装置
１０２…画像表示部
１３１…Ｘデコーダ
１３２…Ｘドライバ
１４１…Ｙデコーダ
１４２…Ｙドライバ
１０５…制御部
２００…輝度調整用発光ブロック挿入手段
３１０，３２０…遅延手段
４００，５００…輝度調整用発光ブロック追加手段
４１０，５１０…等価パルス判別手段
４１１，４１２；５１１，５１２…等価パルス判別回路
４２０，５２０…等価パルス追加手段
４２１，４２１；５２１，５２２…等価パルス追加回路
【図１】
0003719783.tif 000005
【図２】
0003719783.tif 000006
【図３】
0003719783.tif 000007
【図４】
0003719783.tif 000008
【図５】
0003719783.tif 000009
【図６】
0003719783.tif 000010
【図７】
0003719783.tif 000011
【図８】
0003719783.tif 000012
【図９】
0003719783.tif 000013
【図１０】
0003719783.tif 000014
【図１１】
0003719783.tif 000015
【図１２】
0003719783.tif 000016
【図１３】
0003719783.tif 000017
【図１４】
0003719783.tif 000018
【図１５】
0003719783.tif 000019
【図１６】
0003719783.tif 000020
【図１７】
0003719783.tif 000021
【図１８】
0003719783.tif 000022
【図１９】
0003719783.tif 000023
【図２０】
0003719783.tif 000024
【図２１】
0003719783.tif 000025
【図２２】
0003719783.tif 000026
【図２３】
0003719783.tif 000027
【図２４】
0003719783.tif 000028
【図２５】
0003719783.tif 000029
【図２６】
0003719783.tif 000030
【図２７】
0003719783.tif 000031
【図２８】
0003719783.tif 000032
【図２９】
0003719783.tif 000033
【図３０】
0003719783.tif 000034
【図３１】
0003719783.tif 000035
【図３２】
0003719783.tif 000036
【図３３】
0003719783.tif 000037
【図３４】
0003719783.tif 000038
【図３５】
0003719783.tif 000039
【図３６】
0003719783.tif 000040
【図３７】
0003719783.tif 000041
【図３８】
0003719783.tif 000042
【図３９】
0003719783.tif 000043
【図４０】
0003719783.tif 000044
【図４１】
0003719783.tif 000045
【図４２】
0003719783.tif 000046
【図４３】
0003719783.tif 000047
【図４４】
0003719783.tif 000048
【図４５】
0003719783.tif 000049
【図４６】
0003719783.tif 000050
【図４７】
0003719783.tif 000051
【図４８】
0003719783.tif 000052
【図４９】
0003719783.tif 000053